(57)【要約】【課題】  アルミ缶、スチール缶、非金属容器（例えば、瓶やペットボトル）の分別が可能で、小型軽量で必要な場所に自在に移動可能な缶瓶類選別装置を提供する。【解決手段】  上り傾斜に配置された襞１１付きの無端ベルト１２ａを使用したベルトコンベア１２と、ベルトコンベア１２から投入される缶瓶類を受けてそのまま水平搬送し、ヘッドプーリ１３の内部にはヘッドプーリ１３の回転より回転速度が速くしかもヘッドプーリ１３の回転方向と同一方向に回転する回転磁石１４が設けられ、アルミ缶を前方に飛翔させ、スチール缶を吸着して後方に落下させ、非金属容器をそのまま落下させる選別コンベア１５と、それぞれ排出口を除いてベルトコンベア１２及び選別コンベア１５の周囲を覆い、ベルトコンベア１２の基部には缶瓶類の投入ホッパー２９を形成する周壁カバー１６と、これらを支持する架台１７を備えた台車１８とを有する。【選択図】        図１
0003104022.tif 000002
【実用新案登録請求の範囲】
【請求項１】
アルミ缶、スチール缶、及びその他の非金属容器を選別する缶瓶類の選別装置であって、
上り傾斜に配置された襞付きの無端ベルトを使用したベルトコンベアと、
前記ベルトコンベアから投入される缶瓶類を受けてそのまま水平搬送し、ヘッドプーリの内部には、該ヘッドプーリの回転より回転速度が速くしかも該ヘッドプーリの回転方向と同一方向に回転する回転磁石が設けられ、前記アルミ缶を前方に飛翔させ、前記スチール缶を吸着して後方に落下させ、前記非金属容器をそのまま落下させる選別コンベアと、
それぞれ排出口を除いて前記ベルトコンベア及び選別コンベアの周囲を覆い、しかも、前記ベルトコンベアの基部には前記缶瓶類の投入ホッパーを形成する周壁カバーと、
前記ベルトコンベア、前記選別コンベア及び前記周壁カバーを支持する架台を備えた台車とを有することを特徴とする缶瓶類選別装置。
【請求項２】
請求項１記載の缶瓶類選別装置において、前記ベルトコンベアの傾斜角度は、２８〜４０度の範囲にあることを特徴とする缶瓶類選別装置。
【請求項３】
請求項２記載の缶瓶類選別装置において、前記選別コンベアのヘッドプーリの先部には分離された前記アルミ缶、前記スチール缶及び前記非金属容器を、それぞれの回収容器に案内するガイド部材が設けられていることを特徴とする缶瓶類選別装置。
【請求項４】
請求項２記載の缶瓶類選別装置において、該缶瓶類選別装置の幅が６００〜１０００ｍｍ、長さが３２００〜４０００ｍｍの範囲にあることを特徴とする缶瓶類選別装置。
【考案の詳細な説明】
【技術分野】
【０００１】
本考案は、スチール缶（鉄製缶）、アルミ缶（アルミニウム製又はアルミニウム合金製缶）、空き瓶、ペットボトル等のプラッチック容器（以下、これらを「缶瓶類」という）の選別を行う装置に関する。
【背景技術】
【０００２】
自動販売機や家庭等で大量の缶瓶類が発生するが、これらを資源として再利用することが行われている。ところが、これらを纏めて処理すると、原料であるアルミニウム、鉄、ガラス及びプラスチックが混合するので、これらを選別して回収することが行われている。
このような装置として、例えば、特許文献１に記載されているように、ベルトコンベアからなる搬送部の一端側に設けた駆動ドラムの内側にスチール缶を吸着する吸着部を設け、アルミ缶とスチール缶を選別する缶選別装置が提案されている。
【０００３】
【特許文献１】特開平７−２９９４２３号公報
【考案の開示】
【考案が解決しようとする課題】
【０００４】
しかしながら、前記特許文献１に記載の技術においては、アルミ缶とスチール缶を選別することは可能であるが、更に、瓶やペットボトルがそれらの中に混在していた場合には、アルミ缶の中に混じってしまい選別できないという問題点があった。
【０００５】
本考案はかかる事情に鑑みてなされたもので、アルミ缶やスチール缶以外の非金属容器（例えば、瓶やペットボトル）が缶瓶類に混入していても、これらを缶瓶類から分別可能な缶瓶類選別装置を提供することを第１の目的とし、更に、小型軽量で必要な場所に自在に移動可能な缶瓶類選別装置を提供することを第２の目的とする。
【課題を解決するための手段】
【０００６】
前記目的に沿う請求項１記載の缶瓶類選別装置は、アルミ缶、スチール缶、及びその他の非金属容器を選別する缶瓶類の選別装置であって、
上り傾斜に配置された襞付きの無端ベルトを使用したベルトコンベアと、
前記ベルトコンベアから投入される缶瓶類を受けてそのまま水平搬送し、ヘッドプーリの内部には、該ヘッドプーリの回転より回転速度が速くしかも該ヘッドプーリの回転方向と同一方向に回転する回転磁石が設けられ、前記アルミ缶を前方に飛翔させ、前記スチール缶を吸着して後方に落下させ、前記非金属容器をそのまま落下させる選別コンベアと、
それぞれ排出口を除いて前記ベルトコンベア及び選別コンベアの周囲を覆い、しかも、前記ベルトコンベアの基部には前記缶瓶類の投入ホッパーを形成する周壁カバーと、
前記ベルトコンベア、前記選別コンベア及び前記周壁カバーを支持する架台を備えた台車とを有する。
【０００７】
また、請求項２記載の缶瓶類選別装置は、請求項１記載の缶瓶類選別装置において、前記ベルトコンベアの傾斜角度は、２８〜４０度の範囲にある。
【０００８】
請求項３記載の缶瓶類選別装置は、請求項２記載の缶瓶類選別装置において、前記選別コンベアのヘッドプーリの先部には分離された前記アルミ缶、前記スチール缶及び前記非金属容器を、それぞれの回収容器に案内するガイド部材が設けられている。
【０００９】
そして、請求項４記載の缶瓶類選別装置は、請求項２記載の缶瓶類選別装置において、該缶瓶類選別装置の幅が６００〜１０００ｍｍ、長さが３２００〜４０００ｍｍの範囲にある。
なお、更に、搬送性を高めるために、架台の下部にブレーキ付きのキャスター等を設けるのがよい。
【考案の効果】
【００１０】
請求項１〜４記載の缶瓶類選別装置は、ヘッドプーリの内部には、ヘッドプーリの回転より回転速度が速くしかもヘッドプーリの回転方向と同一方向に回転する回転磁石が設けられ、アルミ缶を前方に飛翔させると共に、スチール缶を吸着して後方に落下させ、更に非金属容器をそのまま落下させるので、アルミ缶、スチール缶の選別が可能であると共に、これらから非金属製の容器（瓶、ペットボトル等）も分離できる。
そして、ベルトコンベアは傾斜配置され、しかもこのベルトコンベアの基部に投入ホッパーを構成する周壁カバーが設けられているので、投入ホッパーに溜まった缶瓶類は、襞付きのベルトコンベアで徐々に切り出され、選別コンベアに搬送され、この選別コンベアで前述のように、アルミ缶、スチール缶及びその他の容器に分別される。
【００１１】
特に、請求項２記載の缶瓶類選別装置において、ベルトコンベアの傾斜角度は、２８〜４０度の範囲にあるので、投入ホッパーに溜まった缶瓶類を襞付きのベルトコンベアが円滑に切り出す。なお、ベルトコンベアの傾斜角が２８度より小さいと、装置全体の長さが長くなり、４０度より大きい場合は、缶瓶類がベルトコンベアから転げ落ち搬送が困難となる。
【００１２】
請求項３記載の缶瓶類選別装置において、選別コンベアのヘッドプーリの先部には分離されたアルミ缶、スチール缶及び非金属容器を、それぞれの回収容器に案内するガイド部材が設けられているので、分離されたアルミ缶、スチール缶及び非金属容器を確実に回収容器等に導くことができる。
【００１３】
請求項４記載の缶瓶類選別装置において、缶瓶類選別装置の幅が６００〜１０００ｍｍ、長さが３２００〜４０００ｍｍの範囲にあるので、装置全体が小型化され、例えば、トラック等で必要な場所に容易に搬送できる。
【考案を実施するための最良の形態】
【００１４】
続いて、添付した図面を参照しつつ、本考案を具体化した実施の形態につき説明し、本考案の理解に供する。
ここで、図１は本考案の一実施の形態に係る缶瓶類選別装置の側面図、図２は同平面図である。
【００１５】
図１に示すように、本考案の一実施の形態に係る缶瓶類選別装置１０は、上り傾斜に配置された襞１１付きの無端ベルト１２ａを使用したベルトコンベア１２と、ベルトコンベア１２から投入される缶瓶類を受けてそのまま水平搬送し、ヘッドプーリ１３の内部にはヘッドプーリ１３より速く回転する回転磁石１４が設けられた選別コンベア１５と、ベルトコンベア１２及び選別コンベア１５の側部を覆う周壁カバー１６と、これらを支持する架台１７を備えた搬送する台車１８とを有している。以下、これらについて詳しく説明する。
【００１６】
ベルトコンベア１２は、水平に対して約２８〜４０度の角度αで設置され、ヘッド側のプーリ１９に図示しない回転駆動源の一例であるモータが設けられ、テール側のプーリ２０との間に張設された襞１１付きの無端ベルト１２ａ（幅が約５００〜６００ｍｍ）を駆動している。襞１１は無端ベルト１２ａの進行方向に対して直角に設けられ、その高さは約８〜１５ｃｍ程度、ピッチは２００〜４００ｍｍ程度である。これによって、缶瓶類をベルトコンベア１２で斜め上方向に徐々に搬送する役目をする。なお、図１においては、襞１１の一部が省略されている。
ベルトコンベア１２の搬送速度はインバータによって制御されるが、通常は例えば、０．５〜３ｍ／秒程度に設定するのがよい。
【００１７】
ベルトコンベア１２によって搬送される缶瓶類は選別コンベア１５の無端ベルト１５ａ上に落下する。この選別コンベア１５は通常のベルトコンベアと同一構造であるが、ヘッドプーリ１３の内部には回転磁石１４が配置されている。回転磁石１４は中央にシャフトを有し、周囲に磁石が設けられ、半径方向外側に磁場が発生するようになっている。この回転磁石１４を高速（例えば、１０００〜２０００ｒｐｍ）で回転することによって、周囲に回転磁場を発生し、アルミ缶に飛翔力を与える構造となっている。なお、回転磁石１４の回転方向は、ヘッドプーリ１３の回転方向と同一方向となっている。
選別コンベア１５の駆動はテール側のプーリ２１を図示しないモータによって回転することによって行われ、缶瓶類の搬送速度は、略ベルトコンベア１２の搬送速度と同じか又は大きくなっている。
【００１８】
この選別コンベア１５の排出側には、前方に飛翔したアルミ缶を、例えば、回収容器の一例である缶プレス機２３に搬送するガイド部材２４と、回転磁石１４の磁気によって吸着され、ヘッドプーリ１３の後方に落下するスチール缶を選別するガイド部材２５と、ヘッドプーリ１３によっては何の力も受けずそのまま落下する非金属容器（例えば、瓶、ペットボトル）を選別するガイド部材２６とを有する。ガイド部材２４は板状となっているが、ガイド部材２５、２６は角筒状となっている。また、ガイド部材２５、２６は、それぞれスチール缶及び非金属容器を選別コンベア１５の進行方向に対して側方に排出するようにしてもよい。そして、ガイド部材２４〜２６は、必要に応じて角度調整ができるように首振り可能となって、しかも、搬送に邪魔な場合には取外し可能となっている。
【００１９】
ベルトコンベア１２及び選別コンベア１５は、架台１７によって支持されている。この架台１７の底部の前側及び後ろ側にはそれぞれ対となるキャスター（ブレーキ付きが好ましい）２７が設けられ、床２８面上を容易に移動できる構造となっている。
この架台１７に支持されて、ベルトコンベア１２及び選別コンベア１５の周囲を囲む周壁カバー１６が設けられている。ベルトコンベア１２の基部側に設けられている周壁カバー１６は、上部開口の投入ホッパー２９を形成している。なお、床２８面から投入ホッパー２９の上端部まで高さは、例えば１０００〜１１００ｍｍである。
ベルトコンベア１２及び選別コンベア１５のそれぞれの排出口部分の周壁カバー１６には開口部が設けられ、缶瓶類の流れが円滑に行われるようになっている。
【００２０】
この缶瓶類選別装置１０の全長は、投入ホッパー２９の後端ｂからヘッドプーリ１３の前端ａまでの水平長さが例えば、３２００〜４０００ｍｍに、その幅が約６００〜１０００ｍｍになって、トラック等が容易に搬送可能となっている。
缶プレス機２３については、例えば、アルミ缶を対向する金物内に挟み、押し潰し、減容する構造のものであれば如何なるものでもよい。
【００２１】
従って、この実施の形態に係る缶瓶類選別装置１０においては、ベルトコンベア１２、選別コンベア１５を作動させた状態で、缶瓶類を投入ホッパー２９に入れると、襞１１付きの無端ベルト１２ａによって徐々に搬送され、選別コンベア１５に供給される。
選別コンベア１５では、ヘッドプーリ１３の内部に回転磁石１４が設けられているので、缶瓶類中のアルミ缶には飛翔力が加わり、前方に飛んで缶プレス機２３に供給される。一方、スチール缶は回転磁石１４によって吸引されてヘッドプーリ１３の後方まで移動し、回転磁石１４からの磁気が弱くなる所でガイド部材２５内に落下し、図示しない回収容器内に入る。そして、非金属容器は回転磁石１４によって何の力も受けないので、ヘッドプーリ１３の端部から下方に落下し、ガイド部材２６内に落ち込み、図示しない回収容器に案内される。
以上の工程を経て、アルミ缶、スチール缶、及びその他の瓶、ペットボトル等のプラチック容器の選別が行われる。
【００２２】
本考案は、前記実施の形態に限定されるものではなく、本考案の要旨を変更しない範囲で、寸法、取付け構造、回転速度、搬送速度等を変えることもできる。
【図面の簡単な説明】
【００２３】
【図１】本考案の一実施の形態に係る缶瓶類選別装置の側面図である。
【図２】同平面図である。
【符号の説明】
【００２４】
１０：缶瓶類選別装置、１１：襞、１２：ベルトコンベア、１２ａ：無端ベルト、１３：ヘッドプーリ、１４：回転磁石、１５：選別コンベア、１５ａ：無端ベルト、１６：周壁カバー、１７：架台、１８：台車、１９〜２１：プーリ、２３：缶プレス機、２４〜２６：ガイド部材、２７：キャスター、２８：床、２９：投入ホッパー
【図１】
0003104022.tif 000003
【図２】
0003104022.tif 000004